(57)【要約】【課題】無線端末紛失防止機能を搭載した装置には、内部電池が必要であり、実際に無線端末を紛失した場合に、当該装置の電池が無くなっている可能性もある。【解決手段】無線端末紛失防止機能を実現するにあたり、パッシブタグを搭載した製品を用いる。パッシブタグを用いることで、内部電池は必要なくなる。常にユーザが携帯している定期券、社員証などのＩＣカードを無線端末に登録しておき、無線端末とＩＣカード間で定期的にメッセージの送受信を行い、その通信結果によって、アラームをあげる機能を無線端末に設ける。【選択図】図１
2010178300.tif 000002
【特許請求の範囲】
【請求項１】
送信アンテナと受信アンテナとＩＣチップとからなり、前記受信アンテナで受信した電波により前記ＩＣチップを起動して、前記送信アンテナからＩＤデータを送信するＩＣカードと、無線端末とからなる無線タグシステムにおいて、
前記無線端末は、前記ＩＣカードを登録するＩＣタグメモリと、前記ＩＣカードと通信するＩＣタグリーダと、アラーム生成部と、スピーカとを備え、前記ＩＣタグメモリに登録された前記ＩＣカードへのアクセスに対する応答がないとき、前記アラーム生成部で生成したアラームを前記スピーカから送出することを特徴とする無線タグシステム。
【請求項２】
請求項１に記載の無線タグシステムであって、
前記無線端末は、さらにメール部を備え、前記ＩＣタグメモリに登録された前記ＩＣカードへのアクセスに対する応答がないとき、前記メール部から予め登録されたアドレスに位置情報を送信することを特徴とする無線タグシステム。
【請求項３】
送信アンテナと受信アンテナとＩＣチップとからなり、前記受信アンテナで受信した電波により前記ＩＣチップを起動して、前記送信アンテナからＩＤデータを送信するＩＣカードと、無線端末とからなる無線タグシステムにおいて、
前記無線端末は、前記ＩＣカードを登録するＩＣタグメモリと、前記ＩＣカードと通信するＩＣタグリーダと、アラーム生成部と、スピーカとを備え、
前記ＩＣタグリーダは、前記前記ＩＣタグメモリに登録された前記ＩＣカードとの距離を測距し、
前記アラーム生成部は、前記距離に対応する音量のアラームを生成して、前記スピーカから送出することを特徴とする無線タグシステム。
【発明の詳細な説明】
【技術分野】
【０００１】
本発明は、無線端末とＩＣカードとからなる無線タグシステムに係り、特に無線端末およびＩＣカードの紛失を防止する無線タグシステムに関する。
【背景技術】
【０００２】
ＩＣチップは、ＣＰＵおよびメモリが内蔵され、その中には個人データまたは製品データが書き込まれている。このＩＣチップと無線上の電波を拾うためのアンテナとが一体化された製品は、ＩＣタグと呼ばれる。ＩＣタグを搭載した製品はすでに数多く世の中に出回っている。たとえば、ＩＣ乗車券、社員証、クレジットカードといったＩＣカード等である。また、資産管理や物流・販売・追跡などさまざまな用途として製品に組み込まれた製品もある。
【０００３】
また、上述したＩＣタグと無線通信によって情報をやりとりするＲＦＩＤ技術がある。ＲＦＩＤ技術のＡｉｒ Ｉｎｔｅｒｆａｃｅを定義した国際標準は、非特許文献１である。このＲＦＩＤ技術により、無線通信によって外部からＩＣタグ内の情報を読み書きすることが可能である。
【０００４】
また、ＩＣタグは、パッシブタグとアクティブタグの２種類がある。パッシブタグとは、ＩＣタグのリーダーから発せられる電波をエネルギー源として動作するもので、電池を搭載する必要はない。パッシブタグは、ＩＣタグ内部に整流回路が内蔵されており、ＩＣタグリーダからの電波を整流して、直流に変換する。この電流を電源電流とすることで、ＩＣタグが起動する仕組みとなっている。よって、必ずＩＣタグリーダからの電波送信から通信が開始され、タグはそれに応じて情報を返すのみである。つまり、パッシブタグでは、ＩＣタグ主導で情報を発信することはない。ＩＣタグは、ＩＣタグリーダからの電波を一部反射し、その反射波に情報を載せることで、ＩＣタグリーダへと情報を転送している。前述したＩＣ乗車券も、ＲＦＩＤと同様の技術を用いており、広義のＲＦＩＤ技術の一種に含まれる。
【０００５】
ＲＦＩＤ技術で使用されている周波数は複数存在し、１３５ｋＨｚ、１３.５６ＭＨｚ、９６０ＭＨｚ帯、２.４５ＧＨｚが主流である。９６０ＭＨｚ帯を使用した場合、通信可能距離は２〜５メートル程度と言われている。
【０００６】
特許文献１は、ＩＣカードのＲ／Ｗ（リーダ／ライタ）とＩＣカード間で通信を行なう際に、相互でやり取りするメッセージの暗号化方法について記載されている。
【０００７】
特許文献２は、ＩＣカードのＲ／Ｗ（リーダ／ライタ）とＩＣカード間で通信を行なう際の相互認証処理の速度を短縮することを狙った暗号化技術について記載されている。
【０００８】
特許文献３は、遠くに存在する紛失物の携帯端末装置（Ａ）または無線通信装置（Ｂ）を容易に発見することが可能な近距離無線通信システムについて記載されている。特許文献３では、一定距離以上２点間が離れた場合（紛失した場合）、無線通信装置（Ｂ）のスイッチをＯｎにすると、無線通信装置（Ｂ）の送信電力を最大値にし、受信感度レベルを最小値（つまりなんでも受信する）にすることで、より遠くに存在する（紛失した）携帯端末装置（Ａ）と通信が行えるようになり、紛失物の検索範囲が広がる。
【０００９】
特許文献４は、携帯型通信端末（携帯電話）と無線通信機との間で、微弱電波を交換する。無線通信機は、小型化し、鞄や財布に搭載可能とする。搭載した物によってＩＤを決定し、無線型通信端末に登録しておく（財布はＩＤ＝１、鞄はＩＤ＝２など）。一定距離以上２点間が離れた場合、携帯型通信端末からアラームを鳴らす（ＩＤ毎に、アラーム音や距離閾値を設定可能とする）。
【００１０】
特許文献５は、身につけておく無線受信機（親機）と、携行品に取り付ける無線送信機（子機）との間でＢｌｕｅｔｏｏｔｈや赤外線により電波交換を行なう。電波の感度で２点間の距離を推測し、一定距離以上離れれば、親機からアラームを発生させる。
【００１１】
特許文献６および特許文献７は、親機と子機を用い、親機を人が携帯し、子機を紛失したくないものに取り付ける。その端末間で通信を行ない、その距離が離れれば、親機からアラームを鳴らす。
【００１２】
非特許文献２は、ＩＣカードの実装仕様について記載されている。非特許文献２は、外部端子のない近接型のＩＣカード、及びこれと結合する結合装置を規定するために作成した日本工業規格である。非特許文献２は、高速化機能をもつ外部端子のない近接型ＩＣカードの物理特性、電波インターフェース、伝送プロトコル、ファイル構造、コマンドなどについて規定されている。
【先行技術文献】
【特許文献】
【００１３】
【特許文献１】特開平１０−０２０７８０号公報
【特許文献２】特開平１０−３２７１４２号公報
【特許文献３】特開２００７−３２９５７０号公報
【特許文献４】特開２００８−０７７４７７号公報
【特許文献５】特開２００７−２７２６３４号公報
【特許文献６】特開２００３−３４６２５４号公報
【特許文献７】特開２００３−３２３６８２号公報
【非特許文献】
【００１４】
【非特許文献１】ISO/IEC 18000, RFID Air Interface Standards
【非特許文献２】ＪＩＳＸ６３１９−４
【発明の概要】
【発明が解決しようとする課題】
【００１５】
上述した先行技術文献によれば、無線端末を紛失した際に、外部端末からその紛失した無線端末にアクセスすることで、紛失した無線端末からアラームを発生させることができる。また、無線端末に搭載されているＧＰＳ機能を発動させ、紛失した無線端末の位置情報を外部から特定することは可能である。しかし、これらの行為は、無線端末を紛失したことをユーザが検知した際に行われるものであり、既に紛失場所からユーザが離れている可能性がある。
【００１６】
また、無線端末と定期的に通信を行う外部装置を用い、それを常時携帯することで、それらの距離が離れたこと、つまり無線端末を紛失したことを即座に通知させる技術が知られている。しかし、当該外部装置には内部電池が必要である。よって、実際に無線端末を紛失した際に、外部装置の電池が切れている可能性もある。
【００１７】
本発明では、ＩＣカードと無線端末の通信特性を用い、無線端末を紛失したことをユーザに即座に検知させ、紛失した無線端末の在り処をユーザに特定させる手段を提供する。また、パッシブタイプのＩＣカードを使用することで、内部電池を必要としない。
【課題を解決するための手段】
【００１８】
上述した課題は、送信アンテナと受信アンテナとＩＣチップとからなり、受信アンテナで受信した電波によりＩＣチップを起動して、送信アンテナからＩＤデータを送信するＩＣカードと、無線端末とからなり、無線端末は、ＩＣカードを登録するＩＣタグメモリと、ＩＣカードと通信するＩＣタグリーダと、アラーム生成部と、スピーカとを備え、ＩＣタグメモリに登録されたＩＣカードへのアクセスに対する応答がないとき、アラーム生成部で生成したアラームをスピーカから送出する無線タグシステムにより、達成できる。
【００１９】
また、送信アンテナと受信アンテナとＩＣチップとからなり、受信アンテナで受信した電波によりＩＣチップを起動して、送信アンテナからＩＤデータを送信するＩＣカードと、無線端末とからなり、無線端末は、ＩＣカードを登録するＩＣタグメモリと、ＩＣカードと通信するＩＣタグリーダと、アラーム生成部と、スピーカとを備え、ＩＣタグリーダは、ＩＣタグメモリに登録されたＩＣカードとの距離を測距し、アラーム生成部は、距離に対応する音量のアラームを生成して、スピーカから送出する無線タグシステムにより、達成できる。
【発明の効果】
【００２０】
本発明に依れば、ユーザが既に保持するＩＣカードを携帯端末に登録して、携帯端末とＩＣカードとで携帯端末システムを構成し、携帯端末またはＩＣカードの紛失防止する携帯端末システムを提供できる。
【図面の簡単な説明】
【００２１】
【図１】無線通信システムのブロック図である。
【図２】無線端末のブロック図である。
【図３】ＩＣカードのブロック図である。
【図４】無線タグシステムの紛失防止処理のフローチャートである。
【図５】無線タグシステムの探索処理のフローチャートである。
【発明を実施するための形態】
【００２２】
以下、本発明の実施の形態について、実施例を用い図面を参照しながら詳細に説明する。なお、実質同一部位には、同じ参照番号を振り、説明は繰り返さない。また、本発明は、実施例に限定されるものではない。
【００２３】
図１を参照して、無線通信システムの構成を説明する。図１において、無線通信システム１００は、無線端末１０、ＩＣカード３０、無線基地局４０、サーバ５０から構成される。無線端末１０は、無線基地局４０を介してＩＰネットワーク６０に接続されたサーバ５０にアクセスする。無縁端末１０は、またＩＣカード３０と無線タグシステム２００を構成している。無線端末１０は、定期的にＩＣカード３０にアクセスする。ＩＣカード３０は、無線端末１０からのアクセスに対して、アクセス応答を送信する。アクセス応答には、ＩＣカード３０のＩＤが含まれている。
【００２４】
図２を参照して、無線端末の構成を説明する。無線端末１０は、メッセージ送受信部１１、メモリ部１２、アラーム部１３、スピーカ部１４、メール部１５、表示部１６、ＩＣタグリーダ部１７、認証部１８、ＩＣタグメモリ部１９、タイマ部２０、カウンタ部２１を有する。
【００２５】
メッセージ送受信部１１は、基地局４０からの電波を受信して、内容を把握する。メッセージ送受信部１１は、基地局４０への電波を送信する。メッセージ送受信部１１は、ＩＣカード３０へ電波を送信する。メッセージ送受信部１１は、ＩＣカード３０からのアクセス応答を受信する。メモリ部１２は、電話帳およびメールアドレス帳を保持する。アラーム部１３は、アラーム音を生成する。スピーカ部１４は、アラーム音を出力する。メール部１５は、ユーザ操作によりメールを作成する。メール部１５は、ＩＣカード３０からのアクセス応答が一定期間無いとき、予め定めたメールアドレスに無線端末の位置情報を送信する。なお、位置情報は、図示しないＧＰＳ部から取得する。表示部１６は、ＩＣカード３０が離れたことを表示する。なお、ＩＣカード探査モードのとき、表示部１６は、ＩＣカード３０との距離情報を表示する。
【００２６】
ＩＣタグリーダ部１７は、ＩＣカード３０と定期的に通信する。ＩＣタグリーダ部１７は、ＩＣカード３０へアクセスして、ＩＣカード３０からのアクセス応答がないとき、カウンタ部２１をインクリメントする。ＩＣタグリーダ部１７は、ＩＣカード３０へアクセスして、ＩＣカード３０からのアクセス応答があったとき、カウンタ部２１をクリアする。なお、ＩＣカード探査モードのときの、カウンタ部２１のクリアを一定期間実行しない。
【００２７】
認証部１８は、ＩＣカード３０を認証する。ＩＣタグメモリ部１９は、ＩＣカード（社員証、定期券）３０を登録する。タイマ部２０は、ＩＣカード３０へのアクセス間隔を設定する。カウンタ部２１は、ＩＣカード３０へのアクセスに対する応答なし回数をカウントする。
なお、図２の無線端末１０について、通常の無線携帯電話が搭載する機能ブロック（マイク、テンキー、通話処理部等）は、当業者の周知事項として記載を省いている。
【００２８】
図３を参照して、ＩＣカードの構成を説明する。図３において、ＩＣカード３０は、アンテナでもあるメッセージ送信部３１およびメッセージ受信部３２と、ＩＣチップ３３とから構成される。また、ＩＣチップ３３は、ＣＰＵ３４、メモリ３５、電源回路３６を有する。受信部３２は、無線端末１０からのアクセス電波を交流電力に変換する。電源回路３６は、この交流電力で起動し、一定電圧をメモリ３５とＣＰＵ３４と送信部３１に供給する。ＣＰＵ３４は、電源供給を受けて立ち上がり、メモリ３５から取得したＩＤデータを送信部３１に送信する。送信部３１は、受信したＩＤデータを無線周波数に変換して、送信する。
【００２９】
図４を参照して、無線タグシステムの無線端末紛失防止のフローを説明する。図４において、無線端末１０は、カウンタＮにゼロ、タイマＡにゼロ、判定値Ｍと判定値Ｔにそれぞれユーザ設定値をセットする（Ｓ１０１）。ここで、判定値Ｍは、カウンタのカウント数である。また、判定値Ｔは、タイマの値である。ステップ１０２は、ステップ１１３でＹＥＳのときの、戻り先である。無線端末１０は、紛失防止機能がＯＮになっているか判定する（Ｓ１０３）。ＮＯのとき、無線端末１０は、そのまま終了する。ステップ１０３でＹＥＳのとき、無線端末１０は、タイマをスタートさせる（Ｓ１０４）。無線端末１０は、タイマの満了を待つ（Ｓ１０６）。ただし、初期タイマＡにゼロが与えられているので、ステップ１０６は、そのままＹＥＳに抜ける。無線端末１０は、タイマ値Ａを設定値Ｔとする（Ｓ１０７）。無線端末１０は、ＩＣカード３０にアクセスする（Ｓ１０８）。無線端末１０は、ＩＣカード３０から一定期間に応答があったか判定する（Ｓ１０９）。
【００３０】
ＹＥＳのとき、無線端末１０は、Ｎをゼロとしてステップ１１３に遷移する（Ｓ１１１）。ステップ１０９でＮＯのとき、無線端末１０は、Ｎをインクリメントする（Ｓ１１２）。無線端末１０は、判定値ＭがカウンタＮより小さいか判定して、ＹＥＳのとき、ステップ１０２に戻り、ＮＯのとき、ステップ１１４に抜ける（Ｓ１１３）。ステップ１１４において、無線端末１０は、アラームを生成する。無線端末１０は、登録してある宛先に送信位置情報を送信して（Ｓ１１６）、終了する。
【００３１】
上述した実施例によれば、無線端末の紛失防止することができる。また、紛失した無線端末の場所の特定を容易にできる。
【００３２】
図５を参照して、紛失したＩＣカードの探索の処理を説明する。図５において、まず、無線端末１０は、タイマＡにユーザ設定値をセットする（Ｓ１２１）。無線端末１０は、タイマＡを開始する（Ｓ１２２）。無線端末１０は、タイマＡの満了を待つ（Ｓ１２３）。満了したとき（ＹＥＳ）、無線端末１０は、ＩＣカードにアクセスを開始する（Ｓ１２４）。無線端末１０は、ＩＣカードの無応答回数計算する（Ｓ１２６）。無線端末１０は、無応答回数があるか判定する（Ｓ１２７）。ＹＥＳのとき、無線端末１０は、無応答回数に基づきアラーム音量を設定する（Ｓ１２８）。無線端末１０は、アラームを鳴動させる（Ｓ１２９）。無線端末１０は、Ｐｏｗｅｒ  Ｏｆｆか判定する（Ｓ１３１）。ＹＥＳのとき、無線端末１０は、終了する。ステップ１３１でＮＯのとき、無線端末１０は、ステップ１２２に遷移する。ステップ１２７でＮＯのとき、無線端末１０は、そのままステップ１３１に遷移する。
上述した実施例において、無応答回数は、一定時間あたりの無応答回数以外で、たとえば連続無応答回数でも構わない。距離が近くなるとＩＣカードからの応答は常に受信できるため、アラームを小さくなる。距離が遠くなると、ＩＣカードからの応答を受信できない回数が増加するため、アラーム音量が大きくなる。これにより、紛失したＩＣカードに近付いているか否かをユーザが認識できる。この際、その無応答回数を表示部１６に表示しても構わない。
【００３３】
上述した実施例に依れば、無線端末とＩＣカードとの通信において、両者の距離が離れることにより、ＩＣカードからの応答が一定回数以上無くなった場合に無線端末からアラームをあげることで、無線端末およびＩＣカードの紛失を即座に検知することが出来る。
【００３４】
また、無線端末からアラームが鳴ることで、容易に紛失した無線端末の場所を特定することが出来る。また、上記の状態において、あらかじめメモリに登録しておいた相手に無線端末の位置情報を通知することで、アラームが聞こえない場合も紛失した無線端末の場所を特定することが出来る。
【００３５】
さらに、ＩＣカードを紛失した場合も有効であり、無線端末においてＩＣカードの無応答回数によりアラーム音量を変更することで、金属探知器のように、紛失場所に近付いているかを判断することができる。ＩＣカードと無線端末間で認証を行うことで、無線端末に登録したＩＣカードとだけ動作を行うことができ、他のユーザのＩＣカードや登録していないＩＣカードとの距離が離れたことによってアラームが鳴ることを防ぐことができる。また、無線端末において、ＩＣカードとの通信間隔をＩＣカードの無応答回数または無線端末の使用状況によって変えることで、常にＩＣカードからの信号を受信できている場合や無線端末を使用していない場合は通信間隔を長くすることで、無線端末の電池消費を抑えることが可能となる。
【符号の説明】
【００３６】
１０…無線端末、１１…メッセージ送受信部（無線端末）、１２…メモリ部、１３…アラーム部、１４…スピーカ部、１５…メール部、１６…表示部、１７…ＩＣタグリーダ部、１８…認証部、１９…ＩＣタグメモリ部、２０…タイマ部、２１…カウンタ部、３０…ＩＣカード、３１…メッセージ送信部、３２…メッセージ受信部（アンテナ）、３３…ＩＣチップ、３４…ＣＰＵ、３５…メモリ、３６…電源回路、１００…無線通信システム、２００…無線タグシステム。
【図１】
2010178300.tif 000003
【図２】
2010178300.tif 000004
【図３】
2010178300.tif 000005
【図４】
2010178300.tif 000006
【図５】
2010178300.tif 000007